(57)【要約】【課題】  独創性の高い斬新なデザインから成る創作眼鏡であっても、一点もののオリジナル眼鏡として具現化することができ、しかも、個人にピッタリとフィットするものを作製することができる創作眼鏡の作製支援システムを提供すること。【解決手段】  創作眼鏡を製品化するために、創作眼鏡のデザイン原図を電子化して三次元眼鏡デザイン画像および三次元眼鏡座標データとを構築する一方、頭部測定手段により得られた着用者の頭部輪郭形状の測定結果に基いて、三次元頭部モデリング画像および三次元頭部座標データとを構築し、前記三次元頭部モデリング画像と前記三次元眼鏡デザイン画像とを重ね合わせた試着外観画像を試着表示手段にレイヤ表示する一方、前記三次元頭部座標データと前記眼鏡座標データとの各座標パラメータの位置関係を所要関数を用いて、頭部座標データを基準として修正した眼鏡作製座標データに基いて眼鏡部品を製造できるようにした。【選択図】  図１
2005250243.tif 000002
【特許請求の範囲】
【請求項１】
着用者の眼前に少なくとも眼鏡レンズを配設可能にデザインされた創作眼鏡Ｇを製品化するためのシステムであって、
前記創作眼鏡Ｇのデザイン原図を電子化した二次元の原図デザイン画像GP1 ・GP1 …を蓄積する原図データベース手段１と；
この原図データベース手段１から選択された原図デザイン画像GP1 に基いてトレースした基本アウトライン画像GP2 を作成する眼鏡アウトライン画像作成手段２と；
前記基本アウトライン画像GP2 に基いて、三次元眼鏡デザイン画像GP3 および三次元眼鏡座標データGD1 とを構築する三次元眼鏡情報構築手段３と；
頭部測定手段41により得られた着用者の頭部輪郭形状の測定結果に基いて、三次元頭部モデリング画像HPおよび三次元頭部座標データHDとを構築可能な頭部情報構築手段４と；
前記三次元頭部モデリング画像HPと前記三次元眼鏡デザイン画像GP2 とを重ね合わせた試着外観画像Ｐをレイヤ表示可能な試着表示手段５と；
前記三次元頭部座標データHDと前記眼鏡座標データGD1 との各座標パラメータの位置関係を所要関数を用いて、頭部座標データHDを基準として修正し、三次元の眼鏡作製座標データGD2 を演算する演算手段６と；
この眼鏡作製座標データGD2 に基いて眼鏡部品を製造できる部品製造手段７と；
この部品製造手段７に前記演算手段６によって得られた眼鏡作製座標データGD2 を送信する作製データ送信手段８とを具備して構成したことを特徴とする創作眼鏡の作製支援システム。
【請求項２】
部品製造手段７は、受信した眼鏡作製座標データGD2 に基いて、部品材料を切断または切削加工して眼鏡部品を作製する工作機械であることを特徴とする請求項１記載の創作眼鏡の作製支援システム。
【請求項３】
部品製造手段７は、受信した眼鏡作製座標データGD2 に基いて、眼鏡部品を製造するための金型を作製する工作機械であることを特徴とする請求項１記載の創作眼鏡の作製支援システム。
【請求項４】
演算手段６によって得られた眼鏡作製座標データGD2 は、ＣＡＭ装置によりＮＣデータに変換されて、作製データ送信手段８によって部品製造手段７に送信されることを特徴とする請求項１〜３の何れか一つに記載の創作眼鏡の作製支援システム。
【請求項５】
頭部情報構築手段４の頭部測定手段41は、着用者の頭部を正面、上面、側面から撮影した３枚の二次元画像を合成して頭部輪郭形状を測定することにより、三次元頭部モデリング画像HPを作成することを特徴とする請求項１〜４の何れか一つに記載の創作眼鏡の作製支援システム。
【請求項６】
着用者の頭部の実写画像と三次元眼鏡デザイン画像GP2 とを重ね合わせた試着イメージ画像をレイヤ表示可能であることを特徴とする請求項１〜５の何れか一つに記載の創作眼鏡の作製支援システム。
【請求項７】
着用者の少なくとも頭頂部、側頭部または後頭部に止着部品Ｓを固定することによって眼鏡レンズが着用者の眼前に配設される創作眼鏡Ｇを作製するためのシステムであって、頭部を頭部測定手段41によって測定して得られた結果に基いて、当該創作眼鏡Ｇの止着部品Ｓを作製できることを特徴とする請求項１〜６の何れか一つに記載の創作眼鏡の作製支援システム。
【請求項８】
着用者の鼻頭部または鼻穴部に止着部品Ｓを固定することによって眼鏡レンズが着用者の眼前に配設される創作眼鏡Ｇを作製するためのシステムであって、
鼻頭部を頭部測定手段41によって測定して得られた結果に基いて、当該創作眼鏡Ｇの止着部品Ｓを作製できることを特徴とする請求項１〜７の何れか一つに記載の創作眼鏡の作製支援システム。
【請求項９】
着用者の首に掛ける止着部品Ｓを固定することによって眼鏡レンズが着用者の眼前に配設される創作眼鏡Ｇを作製するためのシステムであって、
首筋および顔面を頭部測定手段41によって測定して得られた結果に基いて、当該創作眼鏡Ｇの止着部品Ｓを作製できることを特徴とする請求項１〜８の何れか一つに記載の創作眼鏡の作製支援システム。
【請求項１０】
着用者の頭髪部分に掛止する止着部品Ｓを固定することによって眼鏡レンズが着用者の眼前に配設される創作眼鏡Ｇを作製するためのシステムであって、
頭髪部を頭部測定手段41によって測定して得られた結果に基いて、当該創作眼鏡Ｇの止着部品Ｓを作製できることを特徴とする請求項１〜９の何れか一つに記載の創作眼鏡の作製支援システム。
【請求項１１】
着用者の顔面または頭部の皮膚に取り付けられた装飾部品に掛止することによって眼鏡レンズが着用者の眼前に配設される創作眼鏡Ｇを作製するためのシステムであって、
装飾部品の取付位置を頭部測定手段41によって測定して得られた結果に基いて、当該創作眼鏡Ｇの止着部品Ｓを作製できることを特徴とする請求項１〜１０の何れか一つに記載の創作眼鏡の作製支援システム。
【請求項１２】
着用者の顔面または頭部に取り付けられた帽子またはヘアーバンドなどの頭部装飾品に取り付けることによって眼鏡レンズが着用者の眼前に配設される創作眼鏡Ｇを作製するためのシステムであって、
頭部装飾品の着用位置を頭部測定手段41によって測定して得られた結果に基いて、当該創作眼鏡Ｇの止着部品Ｓを作製できることを特徴とする請求項１〜１１の何れか一つに記載の創作眼鏡の作製支援システム。
【発明の詳細な説明】
【技術分野】
【０００１】
本発明は、眼鏡の作製支援システムに関するものであり、更に詳しくは、眼鏡レンズを眼前に配置するための部品や機構などが独創性の高い斬新なデザインから成る創作眼鏡であっても、一点もののオリジナル眼鏡として具現化することができ、しかも、個人にピッタリとフィットするものを作製することができる創作眼鏡の作製支援システムに関するものである。
【背景技術】
【０００２】
周知のとおり、眼鏡は視力の矯正などに使用されるのは勿論のこと、お洒落のアイテムとしても認知されている。かかる眼鏡は、通常、レンズを配設したフロント部分の側方に配設されたテンプルを耳に掛けることによって頭部に固定して着用するものが主流である（例えば、特許文献１参照）。
【０００３】
近年、デザインの多様化によって、従来の眼鏡が通常有する構成部品（レンズ枠やテンプルなど）を含まないものや、あるいは新たに創作した構成部品を付加した斬新なデザインの眼鏡（以下、創作眼鏡という）が創作されており、特に、耳以外で固定して着用することができるものは奇抜であって、ファッションセンスに長けた需要者層の間で人気が高い。
【０００４】
ところが、かかる創作眼鏡は、創作者が抽象的なイメージとしてデッサン画に書き起こした空想上のものに過ぎず、実物は未完成のままである。しかも、その構造上、実際に頭部に固定し得るか、あるいは、眼鏡の機能を果たし得るかも不明である。
【０００５】
しかしながら、前記のような需要者層にあっては、既成品では満足できず、先取の気性に富んでいるため、デザインコンペティションやコンテストなどにおいて創作眼鏡の草案が発表されたものを見て、早期に具現化して使用したいという要望がある。
【特許文献１】特開2003−121804号公報  （第３頁、図１）
【発明の開示】
【発明が解決しようとする課題】
【０００６】
本発明は、上記のような問題があったことに鑑みて為されたものであり、その目的とするところは、眼鏡レンズを眼前に配置するための部品や機構などが独創性の高い斬新なデザインから成る創作眼鏡であっても、一点もののオリジナル眼鏡として具現化することができ、しかも、個人にピッタリとフィットするものを作製することができる創作眼鏡の作製支援システムを提供することにある。
【課題を解決するための手段】
【０００７】
本発明者が上記課題を解決するために採用した手段を添付図面を参照して説明すれば次のとおりである。
【０００８】
即ち、本発明は、着用者の眼前に少なくとも眼鏡レンズを配設可能にデザインされた創作眼鏡Ｇを製品化するためのシステムであって、
前記創作眼鏡Ｇのデザイン原図を電子化した二次元の原図デザイン画像GP1 ・GP1 …を蓄積する原図データベース手段１と；
この原図データベース手段１から選択された原図デザイン画像GP1 に基いてトレースした基本アウトライン画像GP2 を作成する眼鏡アウトライン画像作成手段２と；
前記基本アウトライン画像GP2 に基いて、三次元眼鏡デザイン画像GP3 および三次元眼鏡座標データGD1 とを構築する三次元眼鏡情報構築手段３と；
頭部測定手段41により得られた着用者の頭部輪郭形状の測定結果に基いて、三次元頭部モデリング画像HPおよび三次元頭部座標データHDとを構築可能な頭部情報構築手段４と；
前記三次元頭部モデリング画像HPと前記三次元眼鏡デザイン画像GP2 とを重ね合わせた試着外観画像Ｐをレイヤ表示可能な試着表示手段５と；
前記三次元頭部座標データHDと前記眼鏡座標データGD1 との各座標パラメータの位置関係を所要関数を用いて、頭部座標データHDを基準として修正し、三次元の眼鏡作製座標データGD2 を演算する演算手段６と；
この眼鏡作製座標データGD2 に基いて眼鏡部品を製造できる部品製造手段７と；
この部品製造手段７に前記演算手段６によって得られた眼鏡作製座標データGD2 を送信する作製データ送信手段８とを具備して構成するという技術的手段を採用した。
【０００９】
また、本発明は、上記課題を解決するために、必要に応じて上記手段に加え、部品製造手段７を、受信した眼鏡作製座標データGD2 に基いて、部品材料を切断または切削加工して眼鏡部品を作製する工作機械、または、受信した眼鏡作製座標データGD2 に基いて、眼鏡部品を製造するための金型を作製する工作機械にするという技術的手段を採用した。
【００１０】
更にまた、本発明は、上記課題を解決するために、必要に応じて上記手段に加え、演算手段６によって得られた眼鏡作製座標データGD2 を、ＣＡＭ装置によりＮＣデータに変換して、作製データ送信手段８によって部品製造手段７に送信するという技術的手段を採用した。
【００１１】
更にまた、本発明は、上記課題を解決するために、必要に応じて上記手段に加え、頭部情報構築手段４の頭部測定手段41を、着用者の頭部を正面、上面、側面から撮影した３枚の二次元画像を合成して頭部輪郭形状を測定することにより、三次元頭部モデリング画像HPを作成するという技術的手段を採用した。
【００１２】
更にまた、本発明は、上記課題を解決するために、必要に応じて上記手段に加え、着用者の頭部の実写画像と三次元眼鏡デザイン画像GP2 とを重ね合わせた試着イメージ画像をレイヤ表示可能にするという技術的手段を採用した。
【００１３】
更にまた、本発明は、上記課題を解決するために、必要に応じて上記技術的手段を採用したシステムを、以下のような類型の創作眼鏡Ｇを作製するために採用する。
（１）着用者の少なくとも頭頂部、側頭部または後頭部に止着部品Ｓを固定することによって眼鏡レンズが着用者の眼前に配設される創作眼鏡Ｇ
（２）着用者の鼻頭部または鼻穴部に止着部品Ｓを固定することによって眼鏡レンズが着用者の眼前に配設される創作眼鏡Ｇ
（３）着用者の首に掛ける止着部品Ｓを固定することによって眼鏡レンズが着用者の眼前に配設される創作眼鏡Ｇ
（４）着用者の頭髪部分に掛止する止着部品Ｓを固定することによって眼鏡レンズが着用者の眼前に配設される創作眼鏡Ｇ
（５）着用者の顔面または頭部の皮膚に取り付けられた装飾部品に掛止することによって眼鏡レンズが着用者の眼前に配設される創作眼鏡Ｇ
（６）着用者の顔面または頭部に取り付けられた帽子またはヘアーバンドなどの頭部装飾品に取り付けることによって眼鏡レンズが着用者の眼前に配設される創作眼鏡Ｇ
そして、以上の各システムにおいて、頭部情報構築手段４の頭部測定手段41によって、それぞれ（１）頭部、（２）鼻頭部、（３）首筋および顔面、（４）頭髪部、（５）装飾部品の取付位置、（６）頭部装飾品の着用位置、を測定して得られた結果に基いて、当該創作眼鏡Ｇの止着部品Ｓを作製できるようにした。
【発明の効果】
【００１４】
本発明の作製支援システムにあっては、着用者の眼前に少なくとも眼鏡レンズを配設可能にデザインされた創作眼鏡を製品化するために、創作眼鏡のデザイン原図を電子化して三次元眼鏡デザイン画像および三次元眼鏡座標データとを構築する一方、頭部測定手段により得られた着用者の頭部輪郭形状の測定結果に基いて、三次元頭部モデリング画像および三次元頭部座標データとを構築し、前記三次元頭部モデリング画像と前記三次元眼鏡デザイン画像とを重ね合わせた試着外観画像を試着表示手段にレイヤ表示する一方、前記三次元頭部座標データと前記眼鏡座標データとの各座標パラメータの位置関係を所要関数を用いて、頭部座標データを基準として修正した眼鏡作製座標データに基いて眼鏡部品を製造できるようにしたことにより、レンズ部を眼前に配置するための部品や機構などが独創性の高い斬新なデザインから成る創作眼鏡であっても、一点もののオリジナル眼鏡として具現化することができ、しかも、個人にピッタリとフィットするものを作製することができることから、産業上における利用価値は頗る高いと云える。
【発明を実施するための最良の形態】
【００１５】
本発明の実施形態を具体的に図示した図面に基いて更に詳細に説明すると次のとおりである。
【００１６】
本発明の実施形態を図１および図２（ａ）〜（ｃ）に基いて説明する。図中、符号１で指示するものは原図データベース手段であり、この原図データベース手段１には、創作眼鏡Ｇのデザイン原図を電子化した二次元の原図デザイン画像GP1 ・GP1 …が蓄積されている。
【００１７】
また、符号２で指示するものは眼鏡アウトライン画像作成手段であり、この眼鏡アウトライン画像作成手段２により、前記原図データベース手段１から選択された原図デザイン画像GP1 に基いてトレースした基本アウトライン画像GP2 を作成することができる。
【００１８】
更にまた、符号３で指示するものは三次元眼鏡情報構築手段であり、この三次元眼鏡情報構築手段３により、前記基本アウトライン画像GP2 に基いて、三次元眼鏡デザイン画像GP3 および三次元眼鏡座標データGD1 とを構築することができる。
【００１９】
更にまた、符号４で指示するものは頭部情報構築手段であり、この頭部情報構築手段４は、頭部測定手段41を備えており、この頭部測定手段41により得られた着用者の頭部輪郭形状の測定結果に基いて、三次元頭部モデリング画像HPおよび三次元頭部座標データHDとを構築可能である。
【００２０】
更にまた、符号５で指示するものは試着表示手段であり、この試着表示手段５は、前記三次元頭部モデリング画像HPと前記三次元眼鏡デザイン画像GP3 とを重ね合わせた試着外観画像Ｐをレイヤ表示可能である。
【００２１】
更にまた、符号６で指示するものは演算手段であり、この演算手段６は、前記三次元頭部座標データHDと前記眼鏡座標データGD1 との各座標パラメータの位置関係を所要関数を用いて、頭部座標データHDを基準として修正し、三次元の眼鏡作製座標データGD2 を演算することができる。
【００２２】
更にまた、符号７で指示するものは部品製造手段であり、この部品製造手段７により、前記眼鏡作製座標データGD2 に基いて眼鏡部品を製造することができる。
【００２３】
更にまた、符号８で指示するものは作製データ送信手段であり、この作製データ送信手段８は、前記演算手段６によって得られた眼鏡作製座標データGD2 を前記部品製造手段７に送信することができる。
【００２４】
しかして、本発明は、着用者の眼前に少なくとも眼鏡レンズを配設可能にデザインされた創作眼鏡Ｇを製品化するためのシステムであり、本実施形態では、着用者の少なくとも頭頂部、側頭部または後頭部に止着部品Ｓを固定することによって眼鏡レンズが着用者の眼前に配設される創作眼鏡Ｇを作製するためのものであって、本システムによる創作眼鏡Ｇの作製手順を図１に示すシステム説明図を参照しながら以下に説明する。
【００２５】
〔ステップその１（Ｓ１）〕
まず、デザイナーや自らがデザインした創作眼鏡Ｇのデザイン原図を二次元の原図デザイン画像GP1 として電子化し、これらの原図デザイン画像GP1 ・GP1 …を原図データベース手段１に蓄積する。この際、この原図デザイン画像GP1 のファイル形式は、ＢＭＰ形式やＪＰＥＧ形式、ＴＩＦＦ形式などのペイント系のラスタデータである。
【００２６】
〔ステップその２（Ｓ２）〕
次に、眼鏡アウトライン画像作成手段２により、前記原図データベース手段１から選択された原図デザイン画像GP1 に基いて、その眼鏡のアウトラインをトレースし、基本アウトライン画像GP2 を作成する。ちなみに、この基本アウトライン画像GP2 も形式はラスタデータである。
【００２７】
〔ステップその３（Ｓ３）〕
そして、三次元眼鏡情報構築手段３により、前記基本アウトライン画像GP2 に基いて、三次元眼鏡デザイン画像GP3 および三次元眼鏡座標データGD1 とを構築する。
【００２８】
〔ステップその４（Ｓ４）〕
一方、着用者の頭部輪郭形状を頭部情報構築手段４に備えられた頭部測定手段41によって測定するとともに、その得られた結果に基いて、三次元頭部モデリング画像HPおよび三次元頭部座標データHDとを構築する。
【００２９】
本実施形態では、前記頭部測定手段41により、着用者の頭部を正面、上面、側面から撮影した３枚の二次元画像を合成することにより頭部輪郭形状を形成する。そして、頭部表面を一定間隔でプロットした点に基いて三次元ＣＡＤを用いて頭部形状をモデリングして三次元頭部モデリング画像HPを作成するとともに、空間座標系における三次元頭部座標データHDを作成する。
【００３０】
〔ステップその５（Ｓ５）〕
然る後、試着表示手段５によって、前記三次元頭部モデリング画像HPと前記三次元眼鏡デザイン画像GP2 とを重ね合わせた試着外観画像Ｐをレイヤ表示することができる。本実施形態では、更に、着用者の頭部の実写画像と前記三次元眼鏡デザイン画像GP2 とを重ね合わせた試着イメージ画像をレイヤ表示することもできる。この際、三次元眼鏡デザイン画像GP2 は角度や方向を変えて回転させることができるので、前記実写画像に容易に合致させることができる。なお、この場合における表示形式はラスタデータである。こうすることにより、選択した創作眼鏡Ｇが実際に具現化された場合にはどうなるのか、また、自分が着用したらどのような風貌になるのかを予め具体的に確認することができる。
【００３１】
一方、このステップにおいて、データのファイル形式をラスタデータからベクタデータに変換するとともに、更に、このベクタデータを三次元ＣＡＤを用いて立体的なデータにする。
【００３２】
〔ステップその６（Ｓ６）〕
また、演算手段６によって、三次元頭部座標データHDと前記眼鏡座標データGD1 との各座標パラメータの位置関係を所要関数を用いて、頭部座標データHDを基準として修正し、眼鏡作製座標データGD2 を演算する。
【００３３】
具体的には、例えば、レンズ玉型部分のラスタデータ画像を抽出するとともに、パース画を角度計算してベクタデータに変換した正面図を作成する。そして、レンズカーブなどの所定のパラメータ数値を入力することによって三次元化して三次元眼鏡デザイン画像GP3 を得ることができる。また、例えば、パース画からエッジを抽出して断面データを数値入力することによって適宜修正を加えながら三次元化することもできる。
【００３４】
〔ステップその７（Ｓ７）〕
こうして、前記演算手段６によって得られた眼鏡作製座標データGD2 を、作製データ送信手段８によって部品製造手段７に送信し、この眼鏡作製座標データGD2 に基いて眼鏡部品を製造することができるのである。
【００３５】
本実施形態では、部品製造手段７は、受信した眼鏡作製座標データGD2 に基いて、部品材料を切断または切削加工して眼鏡部品を作製する工作機械を採用することができる。この際、前記演算手段６によって得られた眼鏡作製座標データGD2 は、ＣＡＭ装置９によりＮＣデータに変換されて、作製データ送信手段８によって部品製造手段７に送信される。そして、このＮＣデータに基いて、マシニングセンターなどで部品を作成することができる。
【００３６】
なお、例えば、50本以上などのまとまった本数の製造が必要なときには、製造金型を用いて生産した方がコストを低く抑えることができるので、この場合においては、部品製造手段７は、受信した眼鏡作製座標データGD2 に基いて、眼鏡部品を製造するための金型を作製する工作機械にすることができる。
【００３７】
こうして、レンズ部を眼前に配置するための部品や機構などが独創性の高い斬新なデザインから成る創作眼鏡であっても、一点もののオリジナル眼鏡として具現化することができ、しかも、個人にピッタリとフィットするものを作製することができる。かかる作製支援システムは、以下に示すような創作眼鏡Ｇを作製するシステムとして使用するのに、非常に有効である。
【００３８】
「システム実施例Ａ」
システム実施例Ａは、図３に示すような、着用者の鼻頭部または鼻穴部に止着部品Ｓを固定することによって眼鏡レンズが着用者の眼前に配設される創作眼鏡Ｇを作製するためのシステムであって、
鼻頭部を頭部測定手段41によって測定して得られた結果に基いて、当該創作眼鏡Ｇの止着部品Ｓを作製するのに非常に適している。
【００３９】
「システム実施例Ｂ」
次に、システム実施例Ｂは、図４（ａ）および（ｂ）に示すような、着用者の首に掛ける止着部品Ｓを固定することによって眼鏡レンズが着用者の眼前に配設される創作眼鏡Ｇを作製するためのシステムであって、
首筋および顔面を頭部測定手段41によって測定して得られた結果に基いて、当該創作眼鏡Ｇの止着部品Ｓを作製するのに非常に適している。
【００４０】
「システム実施例Ｃ」
次に、システム実施例Ｃは、図５に示すような、着用者の頭髪部分に掛止する止着部品Ｓを固定することによって眼鏡レンズが着用者の眼前に配設される創作眼鏡Ｇを作製するためのシステムであって、
首筋および顔面を頭部測定手段41によって測定して得られた結果に基いて、当該創作眼鏡Ｇの止着部品Ｓを作製するのに非常に適している。
【００４１】
「システム実施例Ｄ」
次に、システム実施例Ｄは、図６に示すような、着用者の顔面または頭部の皮膚に取り付けられた装飾部品（例えば、図示したようなピアス）に掛止することによって眼鏡レンズが着用者の眼前に配設される創作眼鏡Ｇを作製するためのシステムであって、
装飾部品の取付位置を頭部測定手段41によって測定して得られた結果に基いて、当該創作眼鏡Ｇの止着部品Ｓを作製するのに非常に適している。
【００４２】
「システム実施例Ｅ」
次に、システム実施例Ｅは、図７に示すような、着用者の顔面または頭部に取り付けられた帽子またはヘアーバンドなどの頭部装飾品に取り付けることによって眼鏡レンズが着用者の眼前に配設される創作眼鏡Ｇを作製するためのシステムであって、
頭部装飾品の着用位置を頭部測定手段41によって測定して得られた結果に基いて、当該創作眼鏡Ｇの止着部品Ｓを作製するのに非常に適している。
【００４３】
本発明は、概ね上記のように構成されるが、本発明は図示の実施形態に限定されるものでは決してなく、「特許請求の範囲」の記載内において種々の変更が可能である。
【００４４】
また、本システムは、上記に示す創作眼鏡Ｇの作製に採用することに限らず、着用者の頬骨該当個所で止着するものなどの止着箇所に創作性を有する眼鏡や、または、付加的要素を備えたもの、例えば、ヘッドホン付眼鏡やヘアバンド眼鏡などを作製するのにも採用することができるし、また、折り畳み眼鏡のヒンジ連結部分を特定するために採用することも非常に有用であって、何れのものも本発明の技術的範囲に属する。
【図面の簡単な説明】
【００４５】
【図１】本発明の作製支援システムを表わす説明図である。
【図２（ａ）】本発明の実施形態のシステムによって作製される創作眼鏡を表わす全体斜視図である。
【図２（ｂ）】本発明の実施形態のシステムによって作製される創作眼鏡を表わす全体斜視図である。
【図２（ｃ）】本発明の実施形態のシステムによって作製される創作眼鏡を表わす全体斜視図である。
【図３】本発明のシステム実施例Ａによって作製される創作眼鏡を表わす全体斜視図である。
【図４（ａ）】本発明のシステム実施例Ｂによって作製される創作眼鏡の使用状態を表わす斜視図である。
【図４（ｂ）】本発明のシステム実施例Ｂによって作製される創作眼鏡の使用状態を表わす斜視図である。
【図５】本発明のシステム実施例Ｃによって作製される創作眼鏡を表わす全体斜視図である。
【図６】本発明のシステム実施例Ｄによって作製される創作眼鏡の使用状態を表わす斜視図である。
【図７】本発明のシステム実施例Ｅによって作製される創作眼鏡の使用状態を表わす斜視図である。
【符号の説明】
【００４６】
１    データベース手段
２    眼鏡アウトライン画像作成手段
３    三次元眼鏡情報構築手段
４    頭部情報構築手段
41    頭部測定手段
５    レイヤ表示手段
６    演算手段
７    部品製造手段
８    作製データ送信手段
Ｇ    創作眼鏡
Ｓ    止着部品
GP1   原図デザイン画像
GP2   基本アウトライン画像
GP3   三次元眼鏡デザイン画像
GD1   三次元眼鏡座標データ
GD2   眼鏡作製座標データ
HP    三次元頭部モデリング画像
HD    三次元眼鏡座標データ
【図１】
2005250243.tif 000003
【図２（ａ）】
2005250243.tif 000004
【図２（ｂ）】
2005250243.tif 000005
【図２（ｃ）】
2005250243.tif 000006
【図３】
2005250243.tif 000007
【図４（ａ）】
2005250243.tif 000008
【図４（ｂ）】
2005250243.tif 000009
【図５】
2005250243.tif 000010
【図６】
2005250243.tif 000011
【図７】
2005250243.tif 000012